(57)【要約】  【課題】  所望の番組の連続録画を簡単に行って利便性を向上できるビデオテープレコーダを安価に提供する。  【解決手段】  ユーザ操作によって番組を録画予約するとともに録画開始位置をテープの現在位置とカウンタのゼロ位置とを選択する録画予約手段と、録画開始位置をカウンタのゼロ位置とした際にテープをカウンタのゼロ位置に巻き戻して録画を開始する録画手段とを備える。ユーザ操作によってテープの連続録画したい位置でカウンタをリセットしてテープを予め先送りしておくと、録画手段は最初の番組をテープの現在位置から録画を開始し、録画が終了するとカウンタのゼロ位置まで巻き戻して次の番組を録画する。【選択図】      図３
2006054823.tif 000002
【特許請求の範囲】
【請求項１】
テープ位置を検出するカウンタと、前記カウンタをゼロリセットするリセット手段と、
ユーザ操作によって番組を録画予約するとともに録画開始位置をテープの現在位置と前記
カウンタのゼロ位置とを選択する録画予約手段と、録画開始位置を前記カウンタのゼロ位
置とした際にテープを前記カウンタのゼロ位置に巻き戻して録画を開始する録画手段とを
備えたことを特徴とするビデオテープレコーダ。
【請求項２】
前記録画予約手段は、録画開始位置を前記カウンタのゼロ位置とした番組が複数ある場
合に警告を報知することを特徴とする請求項１に記載のビデオテープレコーダ。
【請求項３】
録画開始位置を前記カウンタのゼロ位置とした番組を前記録画予約手段によって複数予
約できないようにしたことを特徴とする請求項１に記載のビデオテープレコーダ。
【発明の詳細な説明】
【技術分野】
【０００１】
本発明は、番組の録画予約可能なビデオテープレコーダに関する。
【背景技術】
【０００２】
従来のビデオテープレコーダは録画予約により録画開示時刻になると自動的に番組を録
画することができる。しかし、図５に示すように、連続ドラマ等の既に録画した番組（ド
ラマＡ第１、第２回）に連続して録画したい番組（ドラマＡ第３回）がある場合、この番
組の録画開始時刻よりも早い録画開始時刻の別の番組（映画）の予約があると連続ドラマ
等を連続して録画できない。このため、特許文献１にはテープ上の録画位置を番組に応じ
て可変するビデオテープレコーダが開示されている。
【０００３】
このビデオテープレコーダは番組の属性情報を録画時にテープ上に記録する。録画予約
された第１、第２の番組があり、録画時刻の遅い第２の番組がテープ上に記録された番組
の属性情報と同じ属性情報の場合には、第２の番組の録画時間を検出して録画終了予定位
置にテープを移送する。そして、第１の番組の録画を行って終了すると移送前のテープ位
置に巻き戻して第２の番組が録画される。これにより、所望の番組を連続して録画できる
ようになっている。
【特許文献１】特開２００２−１７５６５０号公報（第２頁−第９頁、第２図）
【発明の開示】
【発明が解決しようとする課題】
【０００４】
しかしながら、上記特許文献１に開示されたビデオテープレコーダによると、第２の番
組の終了位置から既に第１の番組が録画されている。このため、第２の番組に更に連続し
て録画したい番組は、予約を入れていないと連続して録画することができない。また、属
性情報をテープ上に書き込むため互換性のないビデオテープレコーダで録画されたテープ
では所望の番組を連続して録画できない。従って、ビデオテープレコーダの利便性が悪い
問題があった。更に、テープ上の未録画部分にはサーボ信号が記録されていない。従って
、第２の番組の録画終了予定位置を正確に検出するための検出装置を別途必要とし、ビデ
オテープレコーダのコストが増大する問題もあった。
【０００５】
本発明は、所望の番組の連続録画を簡単に行って利便性を向上できるビデオテープレコ
ーダを安価に提供することを目的とする。
【課題を解決するための手段】
【０００６】
上記目的を達成するために本発明は、テープ位置を検出するカウンタと、前記カウンタ
をゼロリセットするリセット手段と、ユーザ操作によって番組を録画予約するとともに録
画開始位置をテープの現在位置と前記カウンタのゼロ位置とを選択する録画予約手段と、
録画開始位置を前記カウンタのゼロ位置とした際にテープを前記カウンタのゼロ位置に巻
き戻して録画を開始する録画手段とを備えたことを特徴としている。
【０００７】
この構成によると、録画予約手段による録画予約時に、録画時刻の早い第１の番組の録
画開始位置をテープの現在位置とし、第２の番組の録画開始位置をカウンタのゼロ位置と
すると、第１の番組を録画した後、カウンタのゼロ位置に巻き戻して第２の番組が録画さ
れる。従って、ユーザは連続ドラマ等の連続して録画したい番組の前回終了位置でカウン
タをゼロリセットし、ユーザ操作により充分な長さだけテープを移送して録画予約状態に
する。これにより、テープの移送した位置から第１の番組が録画され、連続して録画した
い番組の前回終了位置から第２の番組が連続して録画される。
【０００８】
また本発明は、上記構成のビデオテープレコーダにおいて、前記録画予約手段は、録画
開始位置を前記カウンタのゼロ位置とした番組が複数ある場合に警告を報知することを特
徴としている。
【０００９】
また本発明は、上記構成のビデオテープレコーダにおいて、録画開始位置を前記カウン
タのゼロ位置とした番組を前記録画予約手段によって複数予約できないようにしたことを
特徴としている。
【発明の効果】
【００１０】
本発明によると、録画予約時に録画開始位置をテープの現在位置とカウンタのゼロ位置
とを選択でき、ユーザ設定に応じてカウンタのゼロ位置に巻き戻して録画するので、所望
の番組の連続録画を安価に行えるとともにビデオテープレコーダの利便性を向上すること
ができる。
【００１１】
また本発明によると、録画予約時に録画開始位置をカウンタのゼロ位置とした番組が複
数ある場合に警告が報知されるので、録画予約した番組の上書が防止される。
【００１２】
また本発明によると、録画予約時に録画開始位置をカウンタのゼロ位置とした番組を複
数予約できないので、録画予約した番組の上書が防止される。
【発明を実施するための最良の形態】
【００１３】
以下に本発明の実施形態を図面を参照して説明する。図１は一実施形態のビデオテープ
レコーダの構成を示すブロック図である。ビデオテープレコーダ１は各部を制御する制御
部２を有している。制御部２には記録再生部３、テープ位置検出部４、表示部５、チュー
ナ７、出力部８、操作部９が接続されている。
【００１４】
記録再生部３はヘッド６を介してテープに情報を書き込んで録画を行うとともに、ヘッ
ド６を介してテープから情報を読み出して再生を行う。テープ位置検出部４はテープに書
き込まれたサーボ信号をヘッド６により読み取ってテープ位置を検出する。表示部５は時
刻表示やテープ位置検出部４により検出したテープ位置のカウンタの表示を行う。
【００１５】
チューナ７はアンテナ（不図示）を介して受信した放送信号をチャンネル別に分波する
。出力部８はディスプレイ（不図示）が接続され、記録再生部３の再生信号を出力する。
操作部９は時刻設定や録画予約等のユーザ操作を行う。また、操作部９によりカウンタを
ゼロリセットできるようになっており、リセット手段が構成されている。
【００１６】
録画予約する際には、ディスプレイ上に図２に示すような設定画面が表示され、操作部
９によるユーザ操作が行われる。これにより、録画日、チャンネル、録画開始時間、録画
終了時間、録画開始位置が設定される。録画開始位置は「継続」または「ゼロ」の項目を
択一的に選択できるようになっている。「継続」を選択した場合は、ビデオテープレコー
ダ１に装填されたテープの現在位置から録画を開始する。「ゼロ」を選択した場合は、テ
ープ位置検出部４により検出されるカウンタのゼロ位置から録画を開始する。
【００１７】
従って、録画予約するとともに録画開始位置をテープの現在位置とカウンタのゼロ位置
とを選択する録画予約手段が操作部９により構成されている。尚、複数の録画予約に対し
て録画開始位置に「ゼロ」を入力すると警告がディスプレイ上に表示されるようになって
いる。これにより、テープ上の同じ位置に重ねて録画することを防止することができる。
複数の録画予約に対して録画開始位置に「ゼロ」を入力できないようにしてもよい。
【００１８】
次に、ビデオテープレコーダ１の予約録画時の動作について、前述の図２に示すように
録画予約がされている場合を例にして説明する。図２において、録画開示時刻の早い番組
から順に予約番号が付されている。既にテープに録画された連続ドラマ等の番組に連続し
て予約番号が２番の番組を録画するため、予約番号が２番の番組の録画開始位置が「ゼロ
」に設定されている。
【００１９】
まず、既に録画されている番組の録画終了位置でユーザの操作部９の操作によってカウ
ンタがゼロリセットされる。これにより、図４に示すように、例えば、既に録画されたド
ラマＡ第１回、第２回の終了位置がカウンタのゼロ位置になる。次に、ユーザによる操作
部９のテープ送りの操作によってテープが移送される。これにより、図４に示すように、
テープの現在位置がカウンタのゼロ位置よりも移送された時間分だけ先になる。
【００２０】
この時、予約番号２、３番の録画時間が合計２時間であるので２時間分以上のテープを
移送する必要がある。テープの未録画部分にはサーボ信号が記録されておらずカウンタ表
示されないため、テープカセットを視認して多い目に概略移送すればよい。この状態でビ
デオテープレコーダ１の電源を停止すると予約録画処理が起動する。
【００２１】
図３は予約録画処理の動作を示すフローチャートである。ステップ＃１１で予約番号が
１番の録画開始位置がカウンタのゼロ位置か否かが判断される。予約番号が１番の番組は
録画開始位置がゼロ位置ではないのでステップ＃１３に移行して録画開始時刻まで待機す
る。録画開始時刻になると、ステップ＃１４で予約番号が１番の番組がテープの現在位置
から録画開始される。
【００２２】
ステップ＃１５では録画終了時刻になったか否かが監視され、録画終了時刻になるとス
テップ＃１６に移行する。これにより、図４に示すように１番目の番組（本例では映画）
が録画される。ステップ＃１６では録画予約されている番組が全て録画されたか否かが判
断される。この場合は録画予約されている番組が残っているのでステップ＃１１に戻る。
【００２３】
ステップ＃１１では予約番号が２番の録画開始位置がカウンタのゼロ位置か否かが判断
される。予約番号が２番の番組は録画開始位置がゼロ位置であるため、ステップ＃１２で
カウンタのゼロ位置にテープが巻き戻しされる。そして、ステップ＃１３で録画開始時刻
を待機し、ステップ＃１４〜＃１６で上記と同様に録画が行われてステップ＃１１に戻る
。
【００２４】
これにより、図４に示すように、ドラマＡ第１回、ドラマＡ第２回に連続してドラマＡ
第３回の録画を行うことができる。尚、ステップ＃１２〜＃１４によりテープをカウンタ
のゼロ位置に巻き戻して録画を開始する録画手段が構成されている。
【００２５】
ステップ＃１１では予約番号が３番の録画開始位置がカウンタのゼロ位置か否かが判断
される。予約番号が３番の録画開始位置はゼロ位置でないためステップ＃１３に移行し、
上記と同様にステップ＃１４で録画が開始される。この時、テープの現在位置は予約番号
が２番の録画終了位置（図４においてＡ点）となるため、予約番号が２番の番組に継続し
て３番の番組が録画される。
【００２６】
予約番号が３番の録画が終了すると全ての録画予約された番組の録画が終了するため、
ステップ＃１６の判断により予約録画処理を終了する。
【００２７】
本実施形態によると、録画予約時に録画開始位置をテープの現在位置とカウンタのゼロ
位置とを選択でき、ユーザ設定に応じてカウンタのゼロ位置に巻き戻して録画するので、
録画時刻の早い別番組の録画があっても所望の番組の連続録画を簡単に行うことができる
。
【００２８】
また、録画予約していない番組（例えば、ドラマＡ第４回）を連続して録画したい場合
でも、その時間分だけ予めテープを移送しておくことにより連続して録画することができ
る。更に、テープ上に特別な属性情報を書き込む必要がないため、あらゆるビデオテープ
レコーダで既に録画されたテープに対しても連続録画を行うことができる。従って、ビデ
オテープレコーダの利便性を向上することができる。
【００２９】
加えて、録画予約された番組の録画終了予定位置を正確に検出する必要がないため検出
装置を別途必要とせず、利便性の高いビデオテープレコーダを安価に提供することができ
る。
【産業上の利用可能性】
【００３０】
本発明は、録画予約を行える家庭用、業務用のビデオテープレコーダに利用することが
できる。
【図面の簡単な説明】
【００３１】
【図１】本発明の実施形態のビデオテープレコーダの構成を示すブロック図
【図２】本発明の実施形態のビデオテープレコーダの録画予約の設定画面を示す図
【図３】本発明の実施形態のビデオテープレコーダの動作を示すフローチャート
【図４】本発明の実施形態のビデオテープレコーダによるテープの録画状態を示す図
【図５】従来のビデオテープレコーダによるテープの録画状態を示す図
【符号の説明】
【００３２】
１    ビデオテープレコーダ
２    制御部
３    記録再生部
４    テープ位置検出部
５    表示部
６    ヘッド
７    チューナ
８    出力部
９    操作部
【図１】
2006054823.tif 000003
【図２】
2006054823.tif 000004
【図３】
2006054823.tif 000005
【図４】
2006054823.tif 000006
【図５】
2006054823.tif 000007